(57)【要約】【課題】乗客コンベアの乗客に対して強い光によって乗降口に設けられたくしの位置をはっきりと認識させることにより、特に降り口での注意喚起効果の高い乗客コンベアの乗降口照明装置を得る。【解決手段】複数個無端状に連結された踏段のクリートと非接触状態で噛合う複数の凹凸部が設けられたくしと化粧板との間に位置するコムプレート上面に設けられた中空の細長い硬質透明樹脂製チューブと、この硬質透明樹脂製チューブの内部に配置された複数の光源を有する照明体とを備える。【選択図】  図１
2005029290.tif 000002
【特許請求の範囲】
【請求項１】
乗客コンベアの乗降口に設置されたコムプレートと、このコムプレート上面の前端に設置され、複数個無端状に連結された踏段のクリートと非接触状態で噛合う複数の凹凸部が設けられたくしと、前記コムプレート上面に設置された化粧板とを有する乗客コンベアの乗降口照明装置において、前記くしと前記化粧板との間に位置するコムプレート上面に設けられた中空の細長い硬質透明樹脂製チューブと、この硬質透明樹脂製チューブの内部に配置された複数の光源を有する照明体とを備えたことを特徴とする乗客コンベアの乗降口照明装置。
【請求項２】
前記照明体は、前記硬質透明樹脂製チューブの中空部分に設置された細長い帯状基板の上面に配置された複数の光源を備えたものであることを特徴とする請求項１記載の乗客コンベアの乗降口照明装置。
【請求項３】
前記硬質透明樹脂製チューブは、その断面が略凸の字形状を有し、その上部両端部に設けられた切欠き部に前記化粧板のくし側端部と前記くしの化粧板側端部とが延設されて設置されていることを特徴とする請求項１及び請求項２のいずれかに記載の乗客コンベアの乗降口照明装置。
【請求項４】
前記硬質透明樹脂製チューブは、樹脂色を半透明にしたり、スモーク調色としたり、上面をなし地状に施したりしたことを特徴とする請求項１〜請求項３のいずれかに記載の乗客コンベアの乗降口照明装置。
【請求項５】
前記硬質透明樹脂製チューブは、前記照明体に設けられた光源に対向している面が、凸レンズ状であることを特徴とする請求項１〜請求項４のいずれかに記載の乗客コンベアの乗降口照明装置。
【発明の詳細な説明】
【０００１】
【発明の属する技術分野】
この発明は、乗客コンベアの乗降口照明装置に関するものである。
【０００２】
【従来の技術】
乗客コンベアの乗降口照明装置は、乗客に対して乗降口が近い旨の注意を乗降口付近に導かれた光によって喚起する目的で設置されている。従来の乗客コンベアの乗降口照明装置には、機械室に設置された光源から乗降口付近の投光部に光を導くための光ファイバの敷設を要せず、且つ簡単な構成でありながら発光色を自由に変化させることにより乗客に対する注意喚起機能を長く持続させることができるようにするため、乗降口のコムプレートに固定され、一方の端部が踏段のクリート溝に係合しているくし板の他方端とコムプレートの縁との間に介在され、踏段列の両側に各々配置されたスカートガード間にわたって延長している透明樹脂製の細長い帯状の投光部と、この帯状投光部の少なくとも一方の端部に配置された光源とを設けたものがある。（特許文献１参照）
【０００３】
【特許文献１】
実開平３−７２５８１号公報
【０００４】
【発明が解決しようとする課題】
従来の乗客コンベアの乗降口照明装置では、踏段列の両側に各々配置されたスカートガード間に渡って延長された透明樹脂製の細長い帯状投光部が、この帯状投光部の少なくとも一方の端部に配置された光源によって発光することで乗客コンベアの乗客に対して乗降口が近い旨の注意を喚起しているが、この光源が帯状投光部の端部すなわちスカートガード内部にしか配置されていないため、この細長い帯状投光部の全長に渡り強く発光することができず乗客に対する注意喚起効果が低いという問題があった。
【０００５】
この発明は上述のような課題を解決するためになされたもので、その目的は乗客コンベアの乗客に対して強い光によって乗降口に設けられたくしの位置をはっきりと認識させることにより、特に降り口での注意喚起効果の高い乗客コンベアの乗降口照明装置を提供することである。
【０００６】
【課題を解決するための手段】
この発明に係る乗客コンベアの乗降口照明装置は、くしと化粧板との間に位置するコムプレート上面に設けられた中空の細長い硬質透明樹脂製チューブと、この硬質透明樹脂製チューブの内部に配置された複数の光源を有する照明体とを備えたものである。
【０００７】
【発明の実施の形態】
実施の形態１．
図１は、この発明の実施の形態１における乗客コンベアの乗降口照明装置の断面図、図２は、実施の形態１における照明装置の組立詳細図である。図において、複数個無端状に連結され２つの乗降口間を走行している踏段１の上方に、踏段１側に僅かに傾斜しているコムプレート２が、踏段１との間に間隙を形成して設置されている。このコムプレート２の上面には、踏段１側端部から所定の距離離れた位置に凹形状の溝２ａが、踏段１の両側面と僅かな間隙を有してそれぞれ配置された両スカートガード１０間に渡って形成されている。この溝２ａより踏段１側にあるコムプレート２の上面には、その前側端部に踏段１のクリートと非接触状態で噛合う複数の凹凸部を備え、後側端面上部に突出部４ａが設けられたくし４が皿ネジ５によって固定されている。溝２ａより反踏段１側にあるコムプレート２の上面には、微細なスリップ防止溝等を有する化粧板３が、両スカートガード間に渡って固定されている。また、コムプレート２に設けられた溝２ａには、その断面が凸の字形状で上方両端部に切欠き部が設けられた、コムプレート２の幅よりも僅かに長い硬質透明樹脂製チューブ６が設置され、前述したくし４の突出部４ａと化粧板３の端部がこの切欠き部にまで張り出して、硬質透明樹脂製チューブ６を挟み込むことで固定されている。ここで、コムプレート２の上部に設置されたくし４と化粧板３及び硬質透明樹脂製チューブ６のそれぞれの上面は略面一となるように固定されている。また、前述した硬質透明樹脂製チューブ６は、断面が略四角形の中空で、その内部には細長い帯状基板７ａと、その帯状基板７ａの上面に配置された複数のＬＥＤ素子７ｂとで一体的に構成された幅１０ｍｍ×高さ４ｍｍ程度の照明体７が収容されている。そして、この照明体７を収容した硬質透明樹脂製チューブ６の一端部には、硬質透明樹脂製チューブ６の中空部に嵌め合わすための嵌合部を有するキャップ８ａが、他端部には硬質透明樹脂製チューブ６の中空部に嵌め合わすための嵌合部を有し、帯状基板７ａの一方の端部と電源部（図示なし）とに結線されたリード線９が貫通したキャップ８ｂが嵌め込まれている。
【０００８】
次に実施の形態１における照明装置の組立及び取付方法について説明する。先ず、帯状基板７ａと複数のＬＥＤ素子７ｂとで一体的に構成された照明体７を、図２中の矢印の方向から硬質透明樹脂製チューブ６の内部に挿入する。照明体７を挿入後、硬質透明樹脂製チューブ６の両端部にキャップ８ａ及び８ｂを嵌め込み、帯状基板７ａの一端に結線され、キャップ８ｂ側から照明体７の外側に出ているリード線９を電源部に接続する。このようにして組み立てられた照明装置のコムプレート２への取付は、コムプレート２の前側に設置されているくし４を取り外した状態で、照明装置をその凸部が上方を向くようにコムプレート２の溝２ａに設置し、くし４を、その後側端面上部に設けられた突出部４ａが硬質透明樹脂製チューブ６上部の切欠き部に張り出して化粧板と共に硬質透明樹脂製チューブ６を挟み込むように配置した後、皿ネジ５によってコムプレート２へ固定する。
【０００９】
この発明の実施の形態１によれば、帯状基板７ａの上面に配置された複数のＬＥＤ素子７ｂを内蔵した硬質透明樹脂製チューブ６がくし４に沿って配置され、その内部のＬＥＤ素子７ｂは硬質透明樹脂製チューブ６の上面６ａを介して乗客に対して対向する位置に配置されているため、十分強く発光することができる。また、硬質透明樹脂製チューブ６の上面６ａの面全体が均一的に光るのではなく、ＬＥＤ素子７ｂの位置に対応してドット状に連続して発光することになる。このため、乗客の目を引き易く、くし４の位置をはっきりと認識させることができるため、特に乗客コンベアの降り口での注意喚起効果を向上させることができる。さらに、このＬＥＤ素子７ｂの色が変化したり、間欠的に点灯したり、複数あるＬＥＤ素子７ｂの点滅順序を変化させることで動きをもたせたりするように発光させることで、より乗客の目を引き易くなり、一層注意喚起効果を高めることが可能である。また、照明体７を内蔵している硬質透明樹脂製チューブ６の樹脂色を半透明色にしたり、スモーク調色としたり、この硬質透明樹脂製チューブの上面をなし地状に施したりすることによって、帯状基板７ａのプリント配線部などのＬＥＤ素子７ｂからの光以外の部分を見え難くすることで、意匠性を向上させることもできる。
【００１０】
また、帯状基板７ａと複数のＬＥＤ素子７ｂとが一体化し、リード線９が帯状基板７ａの一方の端部にしか結線されていないことから、硬質透明樹脂製チューブ６への照明体７の挿入が非常に容易である。そして、この硬質透明樹脂製チューブ６の外形を凸の字形状としてその両端部を化粧板３の端部及びくし４の突出部４ａで挟み込んで硬質透明樹脂製チューブ６を固定しているため、コムプレート２への取付や取外しも簡単に行うことが可能となっている。従って、照明装置の交換が必要になった場合などでも、作業時間を大幅に短縮することができる。
【００１１】
実施の形態２．
図３は、この発明の実施の形態２における乗客コンベアの乗降口照明装置の断面図である。図において、照明体７を内部に備えている硬質透明樹脂製チューブ６のＬＥＤ素子７ｂに対向している面は、ＬＥＤ素子７ｂに対して凸レンズ状に湾曲している。その他は、実施の形態１と同様の構成となっている。
【００１２】
この実施の形態２によれば、硬質透明樹脂製チューブ６のＬＥＤ素子７ｂと対向する面が凸レンズ状に湾曲しているため、ＬＥＤ素子７ｂから放射された光は硬質透明樹脂製チューブ６の上面６ｂから放射される時に、角度が絞られて高い輝度が得られるため、乗客の目を引き易く、くし４の位置をさらにはっきりと認識することができるため、特に乗客コンベアの降り口での注意喚起効果を一層向上させることができる。また、実施の形態１と同様に、照明体７を内蔵している樹脂製チューブの樹脂色を半透明色にしたりすることで、意匠性を向上させることも可能である。
【００１３】
【発明の効果】
この発明は以上説明したように、くしと化粧板との間に位置するコムプレート上面に設けられた中空の細長い硬質透明樹脂製チューブと、この硬質透明樹脂製チューブの内部に配置された複数の光源を有する照明体とを備える構成としたことで、乗客コンベアの乗客に対して強い光によって乗降口に設けられたくしの位置をはっきりと認識させることにより、特に降り口での注意喚起効果を高くすることができる。
【図面の簡単な説明】
【図１】この発明の実施の形態１における乗客コンベアの乗降口照明装置の断面図である。
【図２】この発明の実施の形態１における照明装置の組立詳細図である。
【図３】この発明の実施の形態２における乗客コンベアの乗降口照明装置の断面図である。
【符号の説明】
１  踏段
２  コムプレート
２ａ  溝
３  化粧板
４  くし
４ａ  突出部
５  皿ネジ
６  硬質透明樹脂製チューブ
６ａ、６ｂ  硬質透明樹脂製チューブ上面
７  照明体
７ａ  帯状基板
７ｂ  ＬＥＤ素子
８ａ、８ｂ  キャップ
９  リード線
１０  スカートガード
【図１】
2005029290.tif 000003
【図２】
2005029290.tif 000004
【図３】
2005029290.tif 000005